(57)【要約】【課題】汚れの付着を防止し、表面の装飾が剥がれてしまうことがなく、さらに、高級感のある数珠を提供すること。【解決手段】母珠１０１と子珠１０２に貫通孔を設け、この貫通孔に糸を通して糸の両端を連結することにより、環状に形成される数珠１００であって、母珠１０１及び子珠１０２は、木材の表面に漆加工を施したものであることを特徴とする数珠１００を提供する。【選択図】図１
2004209023.tif 000002
【特許請求の範囲】
【請求項１】
貫通孔を設けた複数の数珠球の前記貫通孔に線材を通し、前記線材の両端を連結することにより環状に形成される数珠であって、
前記数珠球は、少なくとも一つの母珠と、前記母珠よりも小さい子珠と、により構成されており、
前記子珠は、木材の表面に漆加工を施したものであることを特徴とする数珠。
【請求項２】
前記母珠も、木材の表面に漆加工を施したものであることを特徴とする請求項１に記載の数珠。
【請求項３】
前記子珠又は前記母珠の内少なくとも何れか一方には、蒔絵が施されていることを特徴とする請求項１又は２に記載の数珠。
【請求項４】
前記子珠又は前記母珠の内少なくとも何れか一方には、沈金が施されていることを特徴とする請求項１乃至３の何れか一項に記載の数珠。
【発明の詳細な説明】
【０００１】
【発明の属する技術分野】
本発明は、数珠に関し、特に、漆加工を施した数珠に関する。
【０００２】
【従来の技術】
数珠は、仏・菩薩を礼拝する際などに使用される用具であって、複数の数珠玉に貫通孔を設けて、この貫通孔に線材を通し、線材の両端を連結することにより環状に形成されている。
【０００３】
数珠玉は、少なくとも一つの母珠と、この母珠よりも小さい子珠と、により構成されており、数珠玉の数については、宗派によって、１０８、５４、３６、２７又は１８個のもの等があり、その材質としては、木材が一般的であるが、金属、石、合成樹脂などが用いられており、特に、母珠については、宝石が使用されることもある（例えば、特許文献１又は２参照）。
【０００４】
【特許文献１】
特開平７−５１１５５号公報。
【０００５】
【特許文献２】
特開平１０−２８６１１０号公報。
【０００６】
【発明が解決しようとする課題】
しかしながら、数珠玉を木材により形成した場合には、手の油などで汚れるほか、数珠玉同士が擦れて表面の装飾が剥がれてしまうことがあった。
【０００７】
また、数珠玉を金属や石で形成した場合には、数珠が重くなり、さらに、数珠玉を合成樹脂により形成した場合には、高級感にかけるという欠点があった。
【０００８】
そこで、本発明は、数珠玉の汚れを防止すると共に、表面の装飾がはげることなく、さらに、高級感のある数珠を提供することを目的とする。
【０００９】
【課題を解決するための手段】
以上の課題を解決するため、本発明は、貫通孔を設けた複数の数珠球の前記貫通孔に線材を通し、前記線材の両端を連結することにより環状に形成される数珠であって、前記数珠球は、少なくとも一つの母珠と、前記母珠よりも小さい子珠と、により構成されており、前記子珠は、木材の表面に漆加工を施したものであることを特徴とする数珠を提供する。
【００１０】
数珠は、複数の数珠玉に貫通孔を設け、この貫通孔に線材を通して、線材の両端を連結することで環状に形成される。
【００１１】
数珠玉は、少なくとも一つの母珠と、この母珠よりも小さく形成されている子珠とにより構成されている。
【００１２】
また、数珠玉は、一般的には、球形に形成されているが、立方体や円柱形等他の形状に形成してもよい。
【００１３】
ここで、子珠は、木材の表面に漆加工を施したものを使用することで、手の油や汚れが付着するのを防止すると共に、表面を堅牢にし、表面の装飾がはげてしまうことを防止し、さらに、高級感を出すことができるようにしている。
【００１４】
なお、母珠については、子珠同様、木材の表面に漆加工を施したものを用いることができるほか、真珠、翡翠、珊瑚、ダイヤモンド、エメラルド、サファイア、ルビー、オパール等の宝石を使用することもできる。
【００１５】
また、母珠については、糸を束ねた房を取り付けておくことが一般的である。
【００１６】
なお、子珠又は母珠の内少なくとも何れか一方には、蒔絵を施しておくことで、高級感をより一層出すことができるようになる。
【００１７】
さらに、子珠又は母珠の内少なくとも何れか一方には、沈金を施すことも可能である。
【００１８】
【発明の実施の形態】
図１は、本発明の一実施形態に係る数珠１００の上方斜視図である。
【００１９】
数珠１００は、母珠１０１と子珠１０２と房１０３とにより構成されている。
【００２０】
母珠１０１及び子珠１０２は、共に球形に形成されているが、母珠１０１よりも子珠１０２の方が小さくなるようにされている。
【００２１】
また、母珠１０１及び子珠１０２は、共に木材の表面に漆加工が施されている。
【００２２】
このように、木材の表面に漆加工を施すことにより、手の油をはじき、汚れが付着するのを防止することができるほか、表面が堅牢で、表面が剥がれ落ちてしまうことがなくなり、さらに、高級感が出るようになる。
【００２３】
ここで、本実施形態では、木材として桜の木を使用しているが、その他にも、欅、桑、花梨、柘植、アイボリーウッド等を使用することもできる。
【００２４】
そして、母珠１０１一つと２４個の子珠１０２とに貫通孔を穿ち、この貫通孔に糸（母珠１０１と子珠１０２の内部にあるため、図示せず。）を通し、糸の両端を結び合わせることにより環状の数珠１００を構成している。
【００２５】
母珠１０１には、房１０３がスペーサー１０４を介して取り付けられている。
【００２６】
なお、房１０３については、生糸により形成されている。
【００２７】
以上のように構成される数珠１００は、図２に表されているような製造工程により製造されるが、この製造工程に限られるわけではない。
【００２８】
まずステップ２１０において、製材を行う。
【００２９】
製材では、桜の木から木材を切り出し、充分に乾燥させてから、球形に成型し、糸を通すための貫通孔を穿つ。
【００３０】
ここで、球形に成形する際には、直径の異なる母珠と子珠とを作成しておく。
【００３１】
次に、ステップ２１１において、木地固めを行う。
【００３２】
木地固めでは、ステップ２１０で球形に形成された木材の表面を鮫皮やサンドペーパーで研ぎ、生漆を塗ることで、木材が水分を吸ってしまうことを防止する。
【００３３】
ここで、生漆とは、採取した漆を漉しただけで、精製していない漆のことをいう。
【００３４】
次に、ステップ２１２において、木地磨きを行う。
【００３５】
木地磨きでは、ステップ２１１の木地固めで生漆を塗られた木材の表面を砥石で研ぐことにより、次の工程であるステップ２１３で塗る下地漆が付着しやすいようにする。
【００３６】
ここで、布着せのステップを追加することもできる。
【００３７】
布着せは、破損しやすい部分に麻布や寒冷紗（カンレイシャ）等を漆を用いて貼り付けて補強する技術である。
【００３８】
次に、ステップ２１３において、地付けを行う。
【００３９】
地付けでは、合わせ漆に地の粉を混ぜた下地漆を塗り、乾燥後、砥石で表面を研ぐ、という工程を数回繰り返すことで、漆を塗る下地を形成する。
【００４０】
ここで、合わせ漆とは、生漆に糊を混ぜたものであり、地の粉とは、珪藻土を焼成後、粉末にしたものである。
【００４１】
次に、ステップ２１４において、地研ぎを行う。
【００４２】
地研ぎでは、ステップ２１３の地付けで形成された下地を砥石で研ぐことにより、余分な下地を取り除くと共に、下地の表面を平らにする。
【００４３】
次に、ステップ２１５において、中塗りを行う。
【００４４】
中塗りでは、精製した漆を塗布して、下地を強固にする。
【００４５】
なお、ステップ２１４の地研ぎとステップ２１５の中塗りの工程を繰り返し行うことで、より強固な下地を作り出すことが可能である。
【００４６】
次に、ステップ２１６において、中研ぎを行う。
【００４７】
中研ぎでは、ステップ２１５で塗布された漆が乾燥した後に、青砥石や駿河炭で研ぐことで、ステップ２１８で行う上塗りの仕上がりをきれいにする。
【００４８】
次に、ステップ２１７において、拭き上げを行う。
【００４９】
拭き上げでは、青砥石や駿河炭でさらに精密に研ぎ、表面の不純物を取り除くために布で拭き取る。
【００５０】
次に、ステップ２１８において、上塗りを行う。
【００５１】
上塗りでは、精製した漆をムラにならないように均一の厚さに塗る。
【００５２】
ここで、上塗りでは、埃が付着しないように十分に注意して作業を行い、埃が付着してしまった場合には竹材の先端を尖らせたふし上げ棒で、埃を除去する。
【００５３】
なお、ステップ２１７の拭き上げとステップ２１８の上塗りは、二回以上実施することもできる。
【００５４】
次に、ステップ２１９において、乾燥を行う。
【００５５】
乾燥では、ステップ２１８の上塗りにおいて塗られた漆が垂れるのを防ぎ、塗面が均一となるように、一定速度で回転させながら乾燥させる。
【００５６】
次に、ステップ２２０において、蒔絵を施す。
【００５７】
蒔絵では、漆で絵を描き、その漆が乾燥しないうちに金や銀の細かい粉、螺鈿、切金を用いて絵を描く。
【００５８】
ここで、螺鈿は、鸚鵡貝、夜光貝、鮑貝、蝶貝等の貝殻の薄片のことであり、切金は、金、銀、銅、錫の薄板のことである。
【００５９】
また、本実施形態では、ステップ２２０において蒔絵を施したが、この蒔絵の代わりに、沈金を用いて装飾を施すことも可能であり、さらに、沈金を施すと共に蒔絵を施すことも可能である。
【００６０】
なお、沈金とは、乾燥した漆の表面をノミで彫って、模様をつけ、彫られた溝に漆を塗って、金箔や銀箔を貼り付けることで、漆の表面に装飾を施す技術である。
【００６１】
最後に、ステップ２２０で、組み立てを行う。
【００６２】
組み立てでは、上述のようにして形成された母珠１０１にスペーサー１０４と房１０３とを取り付けた後、この母珠１０１と子珠１０２とを糸に通して、この糸の両端を結び合わせることで環状の数珠１００を形成している。
【００６３】
【発明の効果】
以上のように本発明を構成したので、数珠玉の汚れを防止すると共に、表面が堅牢で、表面の装飾が剥がれてしまうことがなく、さらに、高級感のある数珠を提供することができる。
【図面の簡単な説明】
【図１】本発明の実施形態に係る数珠１００の上方斜視図である。
【図２】数珠１００の製造工程を表すフローチャート。
【符号の説明】
１００  数珠
１０１  母珠
１０２  子珠
１０３  房
１０４  スペーサー
【図１】
2004209023.tif 000003
【図２】
2004209023.tif 000004